(57)【特許請求の範囲】
【請求項１】
圧縮機、凝縮器、膨張弁及び蒸発器の順に冷媒配管を接続した冷媒回路と、
前記膨張弁の開度を調節する膨張弁制御部と、
を備え、
前記膨張弁制御部は、冷凍能力及び複数種類の冷媒と膨張弁開度との関係を定義した第１テーブルを記憶した状態であり、用途及び馬力と蒸発器能力範囲との関係を定義した第２テーブルを記憶した状態であり、前記第２テーブルに基づき、入力された用途及び馬力に応じた前記蒸発器能力範囲を決定し、決定した前記蒸発器能力範囲と、入力された冷媒とを前記第１テーブルに照合して使用する冷媒に応じた前記膨張弁開度の上限から下限までの適正使用範囲を決定するように構成された冷凍サイクル装置。
【請求項２】
前記膨張弁制御部は、決定された前記膨張弁開度の前記適正使用範囲内で前記膨張弁の開度を制御するように構成された請求項１に記載の冷凍サイクル装置。
【請求項３】
前記膨張弁制御部は、
使用情報を入力する入力部と、
前記第１テーブルを記憶した記憶部と、
前記入力部に入力された前記使用情報を前記第１テーブルに照合して前記膨張弁開度の前記適正使用範囲を決定する開度決定部と、
決定された前記膨張弁開度の前記適正使用範囲内で前記膨張弁の開度を制御する制御部と、
を有する処理回路を含む請求項１又は２に記載の冷凍サイクル装置。
【請求項４】
前記記憶部は、前記第２テーブルを記憶し、
前記膨張弁制御部は、前記処理回路に、前記入力部に入力された前記使用情報を前記第２テーブルに照合して前記蒸発器能力範囲を決定する範囲決定部を有する請求項３に記載の冷凍サイクル装置。
【請求項５】
前記使用情報は、冷凍サイクル装置に使用する用途、馬力及び冷媒である請求項３又は４に記載の冷凍サイクル装置。
【請求項６】
前記膨張弁制御部は、
使用する用途、馬力及び冷媒を入力する入力部と、
前記蒸発器能力範囲を数値化した冷凍能力及び複数種類の冷媒と膨張弁開度との関係を定義した第１テーブル、並びに用途及び馬力と前記蒸発器能力範囲との関係を定義した第２テーブルを記憶した記憶部と、
前記入力部に入力された用途及び馬力を前記第２テーブルに照合して入力された用途及び馬力に応じた前記蒸発器能力範囲を決定する範囲決定部と、
前記範囲決定部が決定した蒸発器能力範囲と前記入力部に入力された冷媒とを前記第１テーブルに照合して使用する冷媒に応じた前記膨張弁開度の上限から下限までの前記適正使用範囲を決定する開度決定部と、
決定された前記膨張弁開度の前記適正使用範囲内で前記膨張弁の開度を制御する制御部と、
を有する処理回路を含む請求項１に記載の冷凍サイクル装置。
【請求項７】
前記膨張弁は、前記膨張弁制御部を一体化した電子式膨張弁である請求項１〜６のいずれか１項に記載の冷凍サイクル装置。
【発明の詳細な説明】
【技術分野】
【０００１】
本発明は、膨張弁の開度を調節する膨張弁制御部を備える冷凍サイクル装置に関する。
【背景技術】
【０００２】
従来、電子式膨張弁において、制御可能な開度範囲は、複数種類の冷媒の使用範囲を含んでいる技術が開示されている（たとえば、特許文献１参照）。特許文献１の技術では、試運転時に、吐出過熱度及び吸入過熱度に基づいて冷媒の種類を自動的に判定している。
【先行技術文献】
【特許文献】
【０００３】
【特許文献１】特開２０１７−１４１９９８号公報
【発明の概要】
【発明が解決しようとする課題】
【０００４】
しかしながら、膨張弁が適用される蒸発器の冷凍能力は、１種類の冷媒であっても変更される。従来の技術では、蒸発器出口の温度センサの検知に異常が発生した場合などに、蒸発器の能力の適正使用範囲外の膨張弁開度が出力される可能性がある。蒸発器の能力の範囲を超える膨張弁開度が出力されると、液バック運転が発生し、圧縮機が故障に至るおそれがある。また、蒸発器の能力未満の膨張弁開度が出力されると、圧縮機の入口温度が上昇して過熱運転が発生し、圧縮機が故障に至るおそれがある。【０００５】
本発明は、上記課題を解決するためのものであり、使用される冷媒の種類と膨張弁が適用される蒸発器の冷凍能力とに応じた膨張弁開度の上限から下限までの適正使用範囲が決定でき、液バック運転又は過熱運転が発生せず、圧縮機の故障が抑制できる冷凍サイクル装置を提供することを目的とする。
【課題を解決するための手段】
【０００６】
本発明に係る冷凍サイクル装置は、圧縮機、凝縮器、膨張弁及び蒸発器の順に冷媒配管を接続した冷媒回路と、前記膨張弁の開度を調節する膨張弁制御部と、を備え、前記膨張弁制御部は、冷凍能力及び複数種類の冷媒と膨張弁開度との関係を定義した第１テーブルを記憶した状態であり、用途及び馬力と蒸発器能力範囲との関係を定義した第２テーブルを記憶した状態であり、前記第２テーブルに基づき、入力された用途及び馬力に応じた前記蒸発器能力範囲を決定し、決定した前記蒸発器能力範囲と、入力された冷媒とを前記第１テーブルに照合して使用する冷媒に応じた前記膨張弁開度の上限から下限までの適正使用範囲を決定するように構成されたものである。
【発明の効果】
【０００７】
本発明に係る冷凍サイクル装置によれば、膨張弁制御部は、蒸発器能力範囲を数値化した冷凍能力及び複数種類の冷媒と膨張弁開度との関係を定義した第１テーブルを記憶し、第１テーブルに基づき、使用する冷媒に応じた膨張弁開度の上限から下限までの適正使用範囲を決定する。したがって、使用される冷媒の種類と膨張弁が適用される蒸発器の冷凍能力とに応じた膨張弁開度の上限から下限までの適正使用範囲が決定でき、液バック運転又は過熱運転が防止され、圧縮機の故障が抑制できる。
【図面の簡単な説明】
【０００８】
【図１】本発明の実施の形態１に係る冷凍サイクル装置を示す冷媒回路図である。
【図２】本発明の実施の形態１に係る膨張弁制御部の構成を示すブロック図である。
【図３】本発明の実施の形態１に係る膨張弁制御部の機能を示す機能ブロック図である。
【図４】本発明の実施の形態１に係る第１テーブルを示す説明図である。
【図５】本発明の実施の形態１に係る第２テーブルを示す説明図である。
【図６】本発明の実施の形態１に係る第１テーブルを用いて適正使用範囲を決定する状態を示す説明図である。
【図７】本発明の実施の形態１に係る決定後の適正使用範囲を示す説明図である。
【図８】本発明の実施の形態１に係る膨張弁開度決定制御ルーチンを示すフローチャートである。
【発明を実施するための形態】
【０００９】
以下、図面に基づいて本発明の実施の形態について説明する。なお、各図において、同一の符号を付したものは、同一の又はこれに相当するものであり、これは明細書の全文において共通している。また、断面図の図面においては、視認性に鑑みて適宜ハッチングを省略している。さらに、明細書全文に示す構成要素の形態は、あくまで例示であってこれらの記載に限定されるものではない。
【００１０】
実施の形態１．
＜冷凍サイクル装置１００＞
図１は、本発明の実施の形態１に係る冷凍サイクル装置１００を示す冷媒回路図である。
【００１１】
図１に示すように、冷凍サイクル装置１００は、圧縮機１、凝縮器２、膨張弁３及び蒸発器４を備える。これら圧縮機１、凝縮器２、膨張弁３及び蒸発器４が冷媒配管で順に接続されて冷媒回路を形成している。そして、蒸発器４から流出した冷媒は、圧縮機１に吸入されて高温高圧となる。高温高圧となった冷媒は、凝縮器２において凝縮されて液体になる。液体となった冷媒は、膨張弁３で減圧膨張されて低温低圧の気液二相となり、気液二相の冷媒が蒸発器４において熱交換される。
【００１２】
なお、冷凍サイクル装置１００としては、たとえば空気調和装置、冷凍装置又は給湯器などが挙げられる。
【００１３】
膨張弁３は、流量制御弁であり、冷媒を減圧して膨張させる。膨張弁３は、電子式膨張弁に構成されている。このため、膨張弁３は、膨張弁制御部５を一体的に備える。膨張弁３は、膨張弁制御部５と有線又は無線の通信線６を介して相互に通信でき、膨張弁制御部５の指示に基づいて開度調整を行える。
【００１４】
＜膨張弁制御部５の機能構成＞
図２は、本発明の実施の形態１に係る膨張弁制御部の構成を示すブロック図である。図３は、本発明の実施の形態１に係る膨張弁制御部５の機能を示す機能ブロック図である。なお、ここでは、膨張弁制御部５の機能のうち、後述する実施の形態１の特徴である膨張弁３の開度を適正使用範囲に決定する機能を説明する。膨張弁制御部５は、その他の機能として、冷凍サイクル装置１００の運転時の膨張弁３の開度などを運転状況に応じて適宜制御できる。
【００１５】
図２に示すように、膨張弁制御部５は、ＣＰＵ、ＲＯＭ及びＲＡＭなどのメモリ並びにＩ／Ｏポートなどの入出力装置を備えたマイコンを有した処理回路である。
【００１６】
図３に示すように、膨張弁制御部５は、入力部５ａと、記憶部５ｂと、範囲決定部５ｃと、開度決定部５ｄと、制御部５ｅと、を有する処理回路に構成されている。
【００１７】
入力部５ａは、使用情報として使用する冷凍サイクル装置１００の用途、馬力及び冷媒を設定者によって入力される。入力部５ａは、使用情報を自身の有するスイッチ類によって入力されても良いし、通信回線あるいは接続される記憶媒体によって入力されても良い。
【００１８】
記憶部５ｂは、ＲＯＭ、ＲＡＭ及びフラッシュメモリなどの記憶媒体によって構成されている。記憶部５ｂは、第１テーブルと、第２テーブルと、を記憶している。
【００１９】
図４は、本発明の実施の形態１に係る第１テーブルを示す説明図である。図４に示すように、第１テーブルは、蒸発器能力範囲を数値化した冷凍能力及び複数種類の冷媒と膨張弁開度との関係を定義している。すなわち、使用する冷媒と冷凍能力とが第１テーブルにて照合されることにより、使用する冷媒に応じた膨張弁開度の上限から下限までの適正使用範囲が決定できる。
【００２０】
図５は、本発明の実施の形態１に係る第２テーブルを示す説明図である。第２テーブルは、用途及び馬力と蒸発器能力範囲との関係を定義している。すなわち、設定者が入力する用途及び馬力が第２テーブルにて照合されることにより、使用する用途及び馬力に応じた蒸発器能力範囲が決定できる。
【００２１】
範囲決定部５ｃは、入力部５ａに入力された用途及び馬力を第２テーブルに照合して入力された用途及び馬力に応じた蒸発器能力範囲を決定する処理を実施する。図５に示すように、入力された用途が冷蔵用と冷凍用とのうち冷蔵用であり、馬力１０であるとする。この場合には、範囲決定部５ｃは、これらの情報を第２テーブルの各値に代入する。第２テーブルは、縦軸に用途の欄を有し、横軸に馬力の欄を有する。そのため、用途及び馬力が入力されると、網掛けした交差部分のように、蒸発器能力の能力上限が２５．０と決定され、能力下限が１０．０と決定される。
【００２２】
開度決定部５ｄは、範囲決定部５ｃが決定した蒸発器能力範囲と入力部５ａに入力された冷媒とを第１テーブルに照合して使用する冷媒に応じた膨張弁開度の上限から下限までの適正使用範囲を決定する処理を実施する。
【００２３】
図６は、本発明の実施の形態１に係る第１テーブルを用いて適正使用範囲を決定する状態を示す説明図である。図６に示すように、開度決定部５ｄは、範囲決定部５ｃが決定した蒸発器能力範囲である能力上限の２５．０及び能力下限の１０．０と、使用する冷媒としてのＲ４１０Ａと、を第１テーブルに入力する。第１テーブルは、縦軸に蒸発器能力範囲を数値化した冷凍能力の目盛りを有し、横軸に膨張弁開度の目盛りを有する。そして、複数種類の冷媒に応じた特性線が第１テーブル上に載せられている。そのため、能力上限の２５．０及び能力下限の１０．０と、使用する冷媒としてのＲ４１０Ａと、が入力されると、網掛け部のようにＲ４１０Ａの特性線に対しての蒸発器能力範囲が定まる。蒸発器能力範囲の上限値と下限値とがそのまま真っ直ぐ下方に直線を引いて膨張弁開度の目盛りに合せると、膨張弁開度の上限から下限までの適正使用範囲が決定される。Ｒ４１０Ａの適正使用範囲は、後述の図７に示すような８００のＭＡＸ開度と４５０のＭＩＮ開度とに決定される。
【００２４】
制御部５ｅは、開度決定部５ｄにて決定された膨張弁開度の適正使用範囲内で膨張弁３の開度を制御する処理を実施する。つまり、制御部５ｅは、開度決定部５ｄにて決定された膨張弁開度の上限から下限までの適正使用範囲内で膨張弁３の開度を制御し、適正使用範囲外の開度とはならないように制御する。
【００２５】
図７は、本発明の実施の形態１に係る開度決定部５ｄによって決定後の適正使用範囲を示す説明図である。図７に示すように、開度決定部５ｄにてＲ４１０Ａの適正使用範囲が８００のＭＡＸ開度と４５０のＭＩＮ開度とに決定される。図７のこれらの値が記憶部５ｂに記憶される。これにより、制御部５ｅが８００のＭＡＸ開度と４５０のＭＩＮ開度との間で膨張弁３の開度を制御する。冷凍サイクル装置１００の運転状態に応じた制御部５ｅの膨張弁開度の制御の詳細は省略する。制御部５ｅは、冷凍サイクル装置１００の通常運転時に、以前に後述のルーチンが実施されて予め記憶部５ｂに記憶した図７の表を用い、８００のＭＡＸ開度と４５０のＭＩＮ開度との間で膨張弁３の開度を制御する。
【００２６】
＜膨張弁開度決定制御ルーチン＞
図８は、本発明の実施の形態１に係る膨張弁制御部５による膨張弁開度決定制御ルーチンを示すフローチャートである。図８に示すルーチンは、冷凍サイクル装置１００の初運転時又はリセット時などに実施される。
【００２７】
冷凍サイクル装置１００の初運転時又はリセット時などに本ルーチンがスタートする。
【００２８】
ステップＳ１０１にて、膨張弁制御部５の入力部５ａは、用途、馬力及び冷媒を入力されたか否かを判別する。ステップＳ１０１にて、用途、馬力及び冷媒が入力されたと判断したときは、ステップＳ１０２に移行する。ステップＳ１０１にて、用途、馬力及び冷媒が入力されないときは、本ルーチンを一旦終了する。
【００２９】
ステップＳ１０２にて、膨張弁制御部５の範囲決定部５ｃは、用途及び馬力から記憶部５ｂに記憶された第２テーブルを用いて蒸発器能力範囲を決定する。詳細は、上述の範囲決定部５ｃの説明どおりである。ステップＳ１０２の処理が終了すると、ステップＳ１０３に移行する。
【００３０】
ステップＳ１０３にて、膨張弁制御部５の開度決定部５ｄは、使用する冷媒とステップＳ１０２にて決定した冷凍能力としての蒸発器能力範囲とから記憶部５ｂに記憶された第１テーブルを用いて使用する冷媒に応じた膨張弁開度の上限から下限までの適正使用範囲を決定する。詳細は、上述の開度決定部５ｄの説明どおりである。ステップＳ１０３の処理が終了すると、ステップＳ１０４に移行する。
【００３１】
ステップＳ１０４にて、膨張弁制御部５の制御部５ｅは、使用する冷媒に応じた膨張弁開度の上限から下限までの適正使用範囲内で膨張弁３の開度を制御する。詳細は、上述の制御部５ｅの説明どおりである。ステップＳ１０４の処理が終了すると、本ルーチンが一旦終了する。
【００３２】
なお、冷凍サイクル装置１００の初運転時又はリセット時などでない通常運転時では、ステップＳ１０４と同様に、膨張弁制御部５の制御部５ｅは、以前に本ルーチンを実施して予め決定されて記憶部５ｂに記憶した使用する冷媒に応じた膨張弁開度の上限から下限までの適正使用範囲内で膨張弁３の開度を制御する。
【００３３】
＜応用例＞
冷凍サイクル装置１００は、蒸発器出口から圧縮機１までの間に、圧力センサ及び温度センサを備える。なお、圧力センサは、蒸発器入口温度センサで代用しても良い。そして、蒸発器出口の冷媒過熱度の値が所定の範囲外となる状態が継続して発生した場合に、膨張弁制御部５の制御部５ｅは、膨張弁開度範囲の補正を行っても良い。具体的には、膨張弁制御部５の制御部５ｅは、蒸発器出口の冷媒過熱度の値が所定の範囲よりも大きい場合には、ＭＩＮ開度の値を１．０５倍する調整を行う。また、膨張弁制御部５の制御部５ｅは、蒸発器出口の冷媒過熱度の値が所定の範囲よりも小さい場合には、ＭＡＸ開度の値を０．９５倍する調整を行う。膨張弁制御部５の制御部５ｅは、これらの調整を蒸発器出口の冷媒過熱度の値が所定の範囲に収まるまで繰り返し行う。
【００３４】
＜実施の形態１の効果＞
実施の形態１によれば、冷凍サイクル装置１００は、圧縮機１、凝縮器２、膨張弁３及び蒸発器４の順に冷媒配管を接続した冷媒回路を備える。冷凍サイクル装置１００は、膨張弁３の開度を調節する膨張弁制御部５を備える。膨張弁制御部５は、蒸発器能力範囲を数値化した冷凍能力及び複数種類の冷媒と膨張弁開度との関係を定義した第１テーブルを記憶し、第１テーブルに基づき、使用する冷媒に応じた膨張弁開度の上限から下限までの適正使用範囲を決定するように構成されている。
【００３５】
この構成によれば、第１テーブルが蒸発器能力範囲を数値化した冷凍能力及び複数種類の冷媒と膨張弁開度との関係を定義している。使用する冷媒と冷凍能力とが第１テーブルにて照合されることにより、使用する冷媒に応じた膨張弁開度の上限から下限までの適正使用範囲が決定できる。これにより、蒸発器出口の温度センサの検知に異常が発生した場合などであっても、蒸発器４の能力の適正使用範囲外の膨張弁開度が出力されることがない。このように、使用される冷媒の種類と膨張弁３が適用される蒸発器４の冷凍能力とに応じた膨張弁開度の上限から下限までの適正使用範囲が決定でき、液バック運転又は過熱運転が防止され、圧縮機１の故障が抑制できる。
【００３６】
実施の形態１によれば、膨張弁制御部５は、用途及び馬力と蒸発器能力範囲との関係を定義した第２テーブルを記憶し、第２テーブルに基づき、入力された用途及び馬力に応じた蒸発器能力範囲を決定するように構成されている。
【００３７】
この構成によれば、第２テーブルが用途及び馬力と蒸発器能力範囲との関係を定義している。設定者が入力する用途及び馬力が第２テーブルにて照合されることにより、使用する用途及び馬力に応じた蒸発器能力範囲が決定できる。したがって、設定者は、蒸発器能力範囲を数値化した冷凍能力が分からなくても、使用する用途及び馬力から蒸発器能力範囲が決定できる。
【００３８】
実施の形態１によれば、膨張弁制御部５は、決定された膨張弁開度の適正使用範囲内で膨張弁３の開度を制御するように構成されている。
【００３９】
この構成によれば、膨張弁３の開度は、膨張弁制御部５によって決定された膨張弁開度の上限から下限までの適正使用範囲内で制御される。このため、膨張弁開度が上限から下限までの適正使用範囲外に制御されない。これにより、蒸発器出口の温度センサの検知に異常が発生した場合などであっても、蒸発器４の能力の適正使用範囲外の膨張弁開度が出力されることがない。したがって、液バック運転又は過熱運転が防止され、圧縮機１の故障が抑制できる。
【００４０】
実施の形態１によれば、膨張弁制御部５は、使用情報を入力する入力部５ａと、第１テーブルを記憶した記憶部５ｂと、入力部５ａに入力された使用情報を第１テーブルに照合して膨張弁開度の適正使用範囲を決定する開度決定部５ｄと、決定された膨張弁開度の適正使用範囲内で膨張弁３の開度を制御する制御部５ｅと、を有する処理回路を含む。
【００４１】
この構成によれば、第１テーブルが蒸発器能力範囲を数値化した冷凍能力及び複数種類の冷媒と膨張弁開度との関係を定義している。使用情報として使用する冷媒と冷凍能力とが第１テーブルにて照合されることにより、使用する冷媒に応じた膨張弁開度の上限から下限までの適正使用範囲が決定できる。そして、膨張弁３の開度は、膨張弁制御部５によって決定された膨張弁開度の上限から下限までの適正使用範囲内で制御される。このため、膨張弁開度が上限から下限までの適正使用範囲外に制御されない。これにより、蒸発器出口の温度センサの検知に異常が発生した場合などであっても、蒸発器４の能力の適正使用範囲外の膨張弁開度が出力されることがない。このように、使用される冷媒の種類と膨張弁３が適用される蒸発器４の冷凍能力とに応じた膨張弁開度の上限から下限までの適正使用範囲が決定でき、液バック運転又は過熱運転が防止され、圧縮機１の故障が抑制できる。
【００４２】
実施の形態１によれば、記憶部５ｂは、第２テーブルを記憶している。膨張弁制御部５は、処理回路に、入力部５ａに入力された使用情報を第２テーブルに照合して蒸発器能力範囲を決定する範囲決定部５ｃを有する。
【００４３】
この構成によれば、第２テーブルが用途及び馬力と蒸発器能力範囲との関係を定義している。使用情報として設定者が入力する用途及び馬力が第２テーブルにて照合されることにより、使用する用途及び馬力に応じた蒸発器能力範囲が決定できる。したがって、設定者は、蒸発器能力範囲を数値化した冷凍能力が分からなくても、使用する用途及び馬力から蒸発器能力範囲が決定できる。
【００４４】
実施の形態１によれば、使用情報は、冷凍サイクル装置１００に使用する用途、馬力及び冷媒である。
【００４５】
この構成によれば、使用情報として設定者が使用する用途、馬力及び冷媒を入力するだけで、使用する用途、馬力及び冷媒に応じた膨張弁開度の上限から下限までの適正使用範囲が決定できる。これにより、蒸発器出口の温度センサの検知に異常が発生した場合などであっても、蒸発器４の能力の適正使用範囲外の膨張弁開度が出力されることがない。したがって、液バック運転又は過熱運転が防止され、圧縮機１の故障が抑制できる。
【００４６】
実施の形態１によれば、膨張弁制御部５は、使用する用途、馬力及び冷媒を入力する入力部５ａと、蒸発器能力範囲を数値化した冷凍能力及び複数種類の冷媒と膨張弁開度との関係を定義した第１テーブル、並びに用途及び馬力と蒸発器能力範囲との関係を定義した第２テーブルを記憶した記憶部５ｂと、入力部５ａに入力された用途及び馬力を第２テーブルに照合して入力された用途及び馬力に応じた蒸発器能力範囲を決定する範囲決定部５ｃと、範囲決定部５ｃが決定した蒸発器能力範囲と入力部５ａに入力された冷媒とを第１テーブルに照合して使用する冷媒に応じた膨張弁開度の上限から下限までの適正使用範囲を決定する開度決定部５ｄと、決定された膨張弁開度の適正使用範囲内で膨張弁３の開度を制御する制御部５ｅと、を有する処理回路を含む。
【００４７】
この構成によれば、第２テーブルが用途及び馬力と蒸発器能力範囲との関係を定義している。設定者が入力する用途及び馬力が第２テーブルにて照合されることにより、使用する用途及び馬力に応じた蒸発器能力範囲が決定できる。また、第１テーブルが蒸発器能力範囲を数値化した冷凍能力及び複数種類の冷媒と膨張弁開度との関係を定義している。使用する冷媒と冷凍能力とが第１テーブルにて照合されることにより、使用する冷媒に応じた膨張弁開度の上限から下限までの適正使用範囲が決定できる。そして、膨張弁３の開度は、膨張弁制御部５によって決定された膨張弁開度の上限から下限までの適正使用範囲内で制御される。このため、膨張弁開度が上限から下限までの適正使用範囲外に制御されない。これにより、蒸発器出口の温度センサの検知に異常が発生した場合などであっても、蒸発器４の能力の適正使用範囲外の膨張弁開度が出力されることがない。このように、使用される冷媒の種類と膨張弁３が適用される蒸発器４の冷凍能力とに応じた膨張弁開度の上限から下限までの適正使用範囲が決定でき、液バック運転又は過熱運転が防止され、圧縮機１の故障が抑制できる。
【００４８】
実施の形態１によれば、膨張弁３は、膨張弁制御部５を一体化した電子式膨張弁である。
【００４９】
この構成によれば、膨張弁３が膨張弁制御部５を一体化した電子式膨張弁であるので、冷凍サイクル装置１００に余計な部品が無く、部品点数が増加しない。なお、膨張弁３と膨張弁制御部５とは、必ずしも一体化される必要はない。
【符号の説明】
【００５０】
１  圧縮機、２  凝縮器、３  膨張弁、４  蒸発器、５  膨張弁制御部、５ａ  入力部、５ｂ  記憶部、５ｃ  範囲決定部、５ｄ  開度決定部、５ｅ  制御部、６  通信線、１００  冷凍サイクル装置。
【図１】
0006896165.tif 000002
【図２】
0006896165.tif 000003
【図３】
0006896165.tif 000004
【図４】
0006896165.tif 000005
【図５】
0006896165.tif 000006
【図６】
0006896165.tif 000007
【図７】
0006896165.tif 000008
【図８】
0006896165.tif 000009